(57)【要約】長手方向に伸長したハンドグリップを持つゴルフクラブとともに使用されるゴルフクラブ用ハンドル装置であって、細長いシャフトと、ハンドル構造と、前腕支持部材およびコネクタをそなえて構成させる。該シャフトは、長手軸に沿って伸長し、第一部分、第二部分及び該第一部分と該第二部分の間に位置する中間部分を持っている。ハンドル構造は、該中間部分に接続され、大体平行でかつ互いに離れておりその間には該シャフトが位置している一組のハンドル対を持っている。該一組のハンドル対は、それぞれが上記長手軸に対しほぼ垂直に伸長するそれぞれのハンドル軸に沿って伸長する。該前腕支持部材は該第一部分に接続されていて、該シャフトに対し離れてかつ反対の方向に向いている前腕支持面を持っている。該コネクタは、該第二部分に位置し、上記ゴルフクラブの上記ハンドグリップと該ゴルフクラブ用ハンドル装置を接続しうるものである。本発明の他の実施例では、従来型のゴルフクラブとゴルフクラブ用ハンドル装置を一体型として構成する。
2004504899.tif 000002
【特許請求の範囲】
【請求項１】
長手方向に伸長したハンドグリップを持つゴルフクラブとともに使用されるゴルフクラブ用ハンドル装置であって、
長手軸に沿って伸長し、第一部分、第二部分及び該第一部分と該第二部分との間に位置する中間部分を持つ細長いシャフトと、
該中間部分に接続され、大体平行でかつ互いに離れておりその間には該シャフトが位置し、それぞれが該長手軸に対し大体垂直に伸長するそれぞれのハンドル軸に沿って伸長する一組のハンドル対を持つハンドル構造と、
該第一部分に接続され、該シャフトに対し離れてかつ反対の方向に向いている前腕支持面を持つ前腕支持部材と、
該第二部分に位置し、上記ゴルフクラブの上記ハンドグリップと該ゴルフクラブ用ハンドル装置と接続しうるコネクタをそなえることを特徴とする、ゴルフクラブ用ハンドル装置。
【請求項２】
該第二部分が、上記ゴルフクラブの上記ハンドグリップを滑動可能に収容しうるように調整された中空状の管を規定することを特徴とする、請求項１記載のゴルフクラブ用ハンドル装置。
【請求項３】
該第二部分が、該長手軸に対して放射状に伸長し該第二部分を貫通する少なくとも一組の一直線に並んだホール対をもつことを特徴とする、請求項２記載のゴルフクラブ用ハンドル装置。
【請求項４】
該コネクタが、上記ゴルフクラブの上記ハンドグリップが該第二部分に収容されたときに、該少なくとも一組の一直線に並んだホール対および上記ゴルフクラブの上記ハンドグリップに形成されたハンドグリップホールを貫通して伸長するように調整された少なくとも一つのコッターを持つことを特徴とする、請求項３記載のゴルフクラブ用ハンドル装置。
【請求項５】
該少なくとも一つのコッターが、ナットとボルトおよびコッターピンのうちの一つであることを特徴とする、請求項４記載のゴルフクラブ用ハンドル装置。
【請求項６】
該コネクタが、該第二部分に接続され該第二部分から離れる方向に伸長していて、ハンドルグリップ受容開口部を規定する一組のネジ切り弧部対と、該第二部分、該一組のネジ切り弧部対および該第二部分と該一組のネジ切り弧部対の両方のうち少なくともいずれか一つの近くに設けられ、該一組のネジ切り弧部対にかみ合わさるようされたネジ切り環部を備えることを特徴とする、請求項１記載のゴルフクラブ用ハンドル装置。
【請求項７】
該ネジ切り環部が、該一組のネジ切り弧部対に沿ってかみ合せを進められていくと、該ハンドルグリップ受容開口部がだんだん小さくなり、該ネジ切り環部が該一組のネジ切り弧部対との結合状態から引き戻されていくと、該ハンドルグリップ受容開口部がだんだん大きくなることを特徴とする、請求項６記載のゴルフクラブ用ハンドル装置。
【請求項８】
該一組のネジ切り弧部対の少なくとも一方の長手方向の厚さが、該ハンドルグリップ受容開口部から該第二部分へ向かって薄くなっていることを特徴とする、請求項６記載のゴルフクラブ用ハンドル装置。
【請求項９】
該ハンドル軸が、該長手軸に略垂直な方向に広がる共通の面内にそれぞれ設けられることを特徴とする、請求項１記載のゴルフクラブ用ハンドル装置。
【請求項１０】
該一組のハンドル対が、該シャフトより等距離だけ離れていることを特徴とする、請求項１記載のゴルフクラブ用ハンドル装置。
【請求項１１】
該ハンドル構造が、第一取り付け部材および該第一取り付け部材に対し横方向に接続されＴ字型構成を形成する第二取り付け部材をそなえ、該第一取り付け部材が該シャフトの該中間部分に接続されるとともに、該第二取り付け部材が該一組のハンドル対のそれぞれに接続されて該シャフトを内部に持つＵ字型構造を形成することを特徴とする、請求項１０記載のゴルフクラブ用ハンドル装置。
【請求項１２】
該一組のハンドル対が、該第二取り付け部材にそれぞれ大体垂直に接続されていることを特徴とする、請求項１１記載のゴルフクラブ用ハンドル装置。
【請求項１３】
該ハンドル構造が、第三取り付け部材および該第三取り付け部材に対し横方向に接続されＴ字型構成を形成る第四取り付け部材をそなえ、該第三取り付け部材が、該第一取り付け部材と一直線になるように該シャフトの中間部分に接続されるとともに、かつ該第四部分が該一組のハンドル対のそれぞれに接続されて、該シャフトを取り囲むハンドル構造を構成することを特徴とする、請求項１１記載のゴルフクラブ用ハンドル装置。
【請求項１４】
該一組のハンドル対が、該第四取り付け部材にそれぞれ大体垂直に接続されていることを特徴とする、請求項１３記載ののゴルフクラブ用ハンドル装置。
【請求項１５】
該前腕支持面が、該一組のハンドル対のうちの選択された一方に向かって傾斜している虚下降線に沿って伸長し、それによって該虚下降線が該長手軸に対し鋭角を形成することを特徴とする、請求項１記載のゴルフクラブ用ハンドル装置。
【請求項１６】
該前腕支持部材が、ユーザーの前腕の内側の大部分に密着し収容しうるよう調整された凹部を形成するように構成されたカフ部をそなえることを特徴とする、請求項１５記載のゴルフクラブ用ハンドル装置。
【請求項１７】
該前腕支持部材が、該第一部分および該カフ部に接続され、かつ、該第一部分と該カフ部の間に設けられたスペーサー部をそなえることを特徴とする、請求項１６記載のゴルフクラブ用ハンドル装置。
【請求項１８】
該前腕支持部材が、ユーザーの前腕をとり囲み収容しうるよう調整されたスリーブをそなえることを特徴とする、請求項１５記載のゴルフクラブ用ハンドル装置。
【請求項１９】
該前腕支持部材が、該第一部分および該カフ部に接続され、かつ、該第一部分と該カフ部の間に設けられたスペーサー部をそなえることを特徴とする、請求項１８記載のゴルフクラブ用ハンドル装置。
【請求項２０】
該スリーブが、大開口部と小開口部を持つ前腕収容チャネルを規定し、該小開口部が該選択された一方のハンドルと該大開口部の間に位置する切頭円錐形を形成することを特徴とする、請求項１８記載のゴルフクラブ用ハンドル装置。
【請求項２１】
該前腕支持部材が、該シャフトに離脱可能に接続され、離脱時には、該長手軸を回転中心として旋回しうることを特徴とする、請求項１記載のゴルフクラブ用ハンドル装置。
【請求項２２】
該シャフトが、該シャフトに取り付けれられ、かつ、該シャフトをとり囲む歯状環をそなえ、該歯状環は、放射状に伸長している複数の歯をそなえることを特徴とする、請求項２１記載のゴルフクラブ用ハンドル装置。
【請求項２３】
該前腕支持部材が、該カフ部とは反対側にスペーサー部に接続され、滑動可能に該シャフトを収容しうるよう調整された管状部をそなえ、該管状部が、管端部に該歯状環に形成された該複数の歯とかみ合わせさる放射状に伸長した複数の歯をそなえることを特徴とする、請求項２２記載のゴルフクラブ用ハンドル装置。
【請求項２４】
該前腕支持部材が、ネジ切りキャップをそなえ、該シャフトが、該ネジ切りキャップとかみ合わさるネジ切りシャフト端部をそなえることを特徴とする、請求項２３記載のゴルフクラブ用ハンドル装置。
【請求項２５】
ゴルフクラブであって、
長手軸に沿って伸長し、ヘッド部および該ヘッド部とは反対側に位置するハンドル部をそなえている細長いゴルフクラブシャフトと、
該ヘッド部に接続されたゴルフクラブヘッドと、
ハンドル上部とハンドル下部をそなえ、該ハンドル下部は該ハンドル上部と該ゴルフクラブヘッドの間に位置する該ハンドル部に接続されたハンドル構造とをそなえ、
該ハンドル構造が、
該ハンドル下部に接続され、大体平行でかつ互いに離れておりその間には該ゴルフクラブシャフトの該ハンドル部が位置し、該長手軸に対して大体垂直に広がる面内に位置する一組のハンドル対と、
該ハンドル上部に接続され、該ゴルフクラブシャフトの該ハンドル部に対し離れてかつ反対の方向に向いている前腕支持面を持つ前腕支持部材をそなえることを特徴とする、ゴルフクラブ。
【請求項２６】
該一組のハンドル対それぞれの軸が、該長手軸に略垂直な方向に広がる共通の面内に設けられることを特徴とする、請求項２５記載のゴルフクラブ。
【請求項２７】
該一組のハンドル対が、該ゴルフクラブシャフトの該ハンドル部より等距離だけ離れていることを特徴とする、請求項２５記載のゴルフクラブ。
【請求項２８】
該前腕支持部材が、該一組のハンドル対のうちの選択された一方に向かって傾斜している虚下降線に沿って伸長し、それによって該虚下降線が該長手軸に対し鋭角を形成することを特徴とする、請求項２５記載のゴルフクラブ。
【請求項２９】
該前腕支持部材が、ユーザーの前腕の内側の大部分に密着し収容しうるよう調整された凹部を形成するように構成させたカフ部をそなえ、上記ユーザーの前腕の上記大部分は該ゴルフシャフトに対して大体内側を向いていることを特徴とする、請求項２８記載のゴルフクラブ。
【請求項３０】
該前腕支持部材が、該ハンドル上部および該カフ部に接続され、かつ、該ハンドル上部と該カフ部の間に設けられたスペーサー部をそなえることを特徴とする、請求項２９記載のゴルフクラブ。
【請求項３１】
該前腕支持部材が、ユーザーの前腕をとり囲み収容しうるよう調整されたスリーブをそなえることを特徴とする、請求項２８記載のゴルフクラブ。
【請求項３２】
該前腕支持部材が、該ハンドル上部および該カフ部に接続され、かつ、該ハンドル上部と該カフ部の間に設けられたスペーサー部をそなえることを特徴とする、請求項３１記載のゴルフクラブ。
【請求項３３】
該前腕支持部材が、該ハンドル上部に離脱可能に接続され、離脱時には、該長手軸を回転中心として旋回しうることを特徴とする、請求項２５記載のゴルフクラブ。
【発明の詳細な説明】
技術分野
本発明は、ゴルフクラブ用ハンドル装置に関する。本発明は、特にゴルフクラブシャフトを間に挟んだハンドル対とゴルファーのリード側の腕を支える前腕支持部材構造をそなえ、ゴルフクラブに対し離脱可能もしくは一体型となっているゴルフクラブ用ハンドル装置に関する。
背景技術
毎年２００万人以上の人々が余暇としてゴルフを始めることが報告されている。同時に、これと同数の人々が余暇としてゴルフをすることをやめている。その結果として、スポーツとしてのゴルフは普及していない。それほど多くの人が、ゴルフというスポーツをやめる理由は、見苦しくない程度にゴルフゲームをする難しさにあると考えられている。
【０００１】
見苦しくない程度にゴルフゲームができるかどうかの鍵は、ゴルファーがゴルフクラブを適切にスィングする能力にある。多くの種類の器具が、ゴルファーのスィングの練習やその向上のために設計されてきた。米国特許３，９５１，４１６号では、従来のゴルフクラブに接続して使うゴルフ練習用器具が公開されている。このゴルフ練習器具のクランプ部は、ゴルフクラブの端部に隣接したグリップにはめ込まれる。側面が開いた前腕クランプ部が、ゴルファーのトレイル側の腕を収容し、ゴルファーの腕、クラブグリップおよびゴルフ練習器具からなる固定された三角形の位置関係を保持する。この三角形の位置関係により、ショートスィング時、特にパッティング時における、後ろ側の腕の手首が曲がるのを防ぐのである。
【０００２】
米国特許５，２４８，１４６号には、対向する上下さかさまのＵ字型の２つのチャネルを持ったプレートをそなえるパット練習器が公開されていて、その２つのチャネルはこのプレートの各々の端部から角度をつけて接続されている。このプレートには、パターのグリップエンドにこのプレート自身を取り付けるための取り付けピンが挿入される穴がある。プレートとＵ字型のチャネルにより、練習中のゴルファーの両腕は確実に適当な間隔になるのである。
【０００３】
米国特許５，５０１，４６４号は、ゴルファーがゴルフクラブをスィングするときに、ゴルファーの両方の前腕とひじの間で所定の三角形の位置関係を保持させるゴルフスィング前腕／手首の保定器を開示している。カフ部がゴルファーの片方の前腕を固定してスペーサーの一端と接続するように適合されていて、そのスペーサーの他端は、ゴルファーのもう一方の前腕により押されることによってゴルファーのスィングが改善される。
【０００４】
米国特許３，４６２，１５５号は、そのクラブを握っているゴルファーの両足の間で振り子のように振られるように設計された、ゴルフクラブを開示している。このグラブは、水平方向に平行なハンドル対があり、それぞれのハンドルがゴルファーによって握られるようになっている。
【０００５】
発明の開示
本発明は、ゴルファー、特に初心者のゴルファーがそのゴルフクラブで繰り返しゴルフボールを打つのを手助けするゴルフクラブに取り付けるゴルフクラブ用ハンドル装置を提供することを目的とする。
また、本発明は、ゴルファー、特に初心者のゴルファーが真直ぐ飛ぶボールを打つのを手助けするゴルフクラブ用ハンドル装置を提供することを目的とする。さらに、本発明は、ゴルファー、特に初心者のゴルファーがフックやスライスをさせることなくにボールを打つのを手助けをするゴルフクラブ用ハンドル装置を提供することを目的とする。
【０００６】
したがって、以下、ゴルフクラブとともに使用されるゴルフクラブ用ハンドル装置について説明する。本発明のゴルフクラブ用ハンドル装置は、細長いシャフトと、ハンドル構造と、前腕支持部材およびコネクタをそなえている。該細長いシャフトは、長手軸に沿って伸長し、第一部分、第二部分及び該第一部分と該第二部分の間に位置する中間部分を持っている。ハンドル構造は、該中間部分に接続され、大体平行でかつ互いに離れておりそれら間には該シャフトが位置している一組のハンドル対を持っている。該一組のハンドル対は、それぞれが、上記長手軸に対し大体垂直に伸長するそれぞれのハンドル軸に沿って伸長する。該前腕支持部材は該第一部分に接続されていて、該シャフトに対し離れてかつ反対の方向に向いている前腕支持面を持っている。該コネクタは、該第二部分に位置し、上記ゴルフクラブの上記ハンドグリップと該ゴルフクラブ用ハンドル装置を接続しうるものである。
【０００７】
本発明の他の実施形態は、細長いゴルフクラブシャフトと、ゴルフクラブヘッドおよびハンドル構造をそなえるゴルフクラブである。該ゴルフクラブシャフトは、長手軸に沿って伸長し、ヘッド部および該ヘッド部とは反対側に位置するハンドル部をそなえている。該ゴルフクラブヘッドは、該ヘッド部に接続されている。該ハンドル構造は、ハンドル上部とハンドル下部をそなえている該ハンドル部に接続されている。該ハンドル下部は該ハンドル上部と該ゴルフクラブヘッドの間に位置している。該ハンドル構造は、一組のハンドル対を前腕支持部材中にそなえている。
【０００８】
該一組のハンドル対は、該ハンドル下部に接続され、大体平行でかつ互いに離れておりそのハンドル対の間には該ゴルフクラブシャフトの該ハンドル部が位置している。該一組のハンドル対は、該長手軸に対しておおむね垂直に広がる面内に位置している。該前腕支持部材は、該ハンドル上部に接続され、該ゴルフクラブシャフトの該ハンドル部に対し離れてかつ反対の方向に向いている前腕支持面を持っている。
【０００９】
発明を実施するための最良の形態
本発明の第一実施形態におけるゴルフクラブ用ハンドル装置１０は、図１〜５により説明される。本発明のゴルフクラブ用ハンドル装置１０は、長手方向に伸張したハンドグリップ１４とゴルフクラブヘッド１６を持つ従来型ゴルフクラブ１２とともに使用される。図２〜４に最もよく示されるように、本発明のゴルフクラブ用ハンドル装置１０は、細長いシャフト１８、ハンドル構造２０、前腕支持部材２２、およびコネクタ２４をそなえている。
【００１０】
図２において、シャフト１８は長手軸Ｌに沿って伸張していて、第一部分１８ａ、第二部分１８ｂおよび中間部分１８ｃをそなえている。中間部分１８ｃは、第一部分１８ａと第二部分１８ｂの間に位置している。シャフト１８は、金属、複合材料、またはその他一般にゴルフクラブのシャフトの材料として用いられる丈夫な物質より製造される。
【００１１】
図３、４を参照してわかるように、ハンドル構造２０はハンドル対２６ａ、２６ｂをそなえている。ハンドル対２６ａ、２６ｂのそれぞれは、真っ直ぐな円柱状の構造をしていて、金属や複合材料等の丈夫な物質より製造されているが、これに限定されるものではない。図３に最もよく示されているように、ハンドル対２６ａ、２６ｂは、シャフト１８の中間部分１８ｃに接続されている。ハンドル対２６ａ、２６ｂは、その間にあるシャフト１８に対しほぼ等距離になるように互いに間隙を介してに配置されている。ハンドル対２６ａ、２６ｂは、それぞれハンドル軸Ｈ１、Ｈ２のそれぞれ対応する一方に沿って伸張している。図４に示すように、ハンドル軸Ｈ１、Ｈ２は、互いに平行に伸長し、長手軸“Ｌ“に対して大体垂直になっている。
【００１２】
図３において、前腕支持部材２２は、シャフト１８の第一部分１８ａに接続されている。前腕支持部材２２は、シャフト１８から離れてかつシャフト１８に対して反対側を向くように設けられている前腕支持面２８をそなえている。コネクタ２４は、シャフト１８の第二部分１８ｂに位置している。コネクタ２４は、ゴルフクラブ１２のハンドグリップ１４と本発明のゴルフクラブ用ハンドル装置１０を接続しうるものである。
【００１３】
図３、５に示すように、シャフト１８の第二部分１８ｂは、中空状の管を規定する。図５に最もよく示されるように、この中空状の管は、ゴルフクラブ１２のハンドグリップ１４を滑動可能に収容しうるように調整されている。第二部分１８ｂは、少なくとも一対の一直線上に整列したホール対３０ａ、３０ｂをそなえている。この整列ホール対３０ａ、３０ｂは、長手軸Ｌに対して放射状に伸長し、第二部分１８ｂを貫通してコネクタ２４の構成要素となる（図３参照）。さらにコネクタ２４は、ハンドグリップ１４がシャフト１８の第二部分１８ｂに収容されたときには、整列ホール対３０ａ、３０ｂを貫通するように伸長し、かつ（ゴルフクラブ１２のハンドグリップ１４に形成された）放射状に整列されたハンドグリップホール３４ａ、３４ｂを貫通するよう調整されたコッター３２を少なくとも一つそなえている。これに限定されるものではないが、コッター３２は整列ホール対３０ａ、３０ｂおよびハンドグリップホール３４ａ、３４ｂに嵌合し貫通してゴルフクラブ１２のハンドグリップ１４に本発明のゴルフクラブ用ハンドル装置１０を固定する。さらに取り付けを確実にするために、もう一対の整列ホール対３０ｃ、３０ｄとさらなるハンドグリップホール３４ｃ、３４ｄ（図中太線）を、それぞれ、シャフト１８の第二部分１８ｂに受容されたハンドグリップ１４の水平断面の中心を通り一直線上に整列して、ハンドグリップ１４に形成されたそれぞれの穴を貫通するように配置する。もう一つのコッター３２‘（図中細線）は、それらの他の整列ホール対３０ｃ、３０ｄとハンドグリップホール３４ｃ、３４ｄに嵌合かつ貫通させて、本願のゴルフクラブ用ハンドル装置１０とゴルフクラブ１２を固定するように接続する。
【００１４】
当業者によれば、図５に示されたコッターの代わりとして他の種類のコッターを使用可能であることは理解するであろう。例にすぎないが、図６に示す従来のコッターピン３６を使うことができる。また、これも一例にすぎないが、図７に示すような互いにネジによってかみ合わせることの可能な従来のボルト３８とナット４０もコッターとして使用することができる。
【００１５】
当業者によれば、図５〜７に示すコッターが、本発明のゴルフクラブ用ハンドル装置１０を永久的または半永久的にゴルフクラブ１２に効果的に接続するのに使用されることが理解できるであろう。しかしながら、コネクタ２４は本発明のゴルフクラブ用ハンドル装置１０を一時的にゴルフクラブ１２に効果的に取り付けるように設計することもできる。本発明のゴルフクラブ用ハンドル装置１０をゴルフクラブ１２に一時的に接続させるために多くの種類の一時コネクタが使用できるが、一時コネクタ２４の一例は、図８と８Ａに示されている。ここで、コネクタ２４は、互いにネジによってかみ合わさるネジ切り弧部対４２ａ、４２ｂとネジ切り環４４をそなえている。ネジ切り弧部対４２ａ、４２ｂは、第二部分１８ｂに接続され、かつ第二部分１８ｂとの接合部から離れるように伸長してハンドルグリップ受容開口部４６を定める。ネジ切り環４４は、シャフト１８の第二部分１８ｂに位置している。しかしながら、環４４がネジによりネジ切り弧部対４２ａ、４２ｂをかみ合わせていくと、ネジ切り環４４は、シャフト１８の第二部分１８ｂとネジ切り弧部対４２ａ、４２ｂの両方に位置し、やがてネジ切り弧部対４２ａ、４２ｂ上に位置するようになる。環４４は、ネジ切り弧部対４２ａ、４２ｂと螺合可能にかみ合うように適合されている。環４４が、ネジ切り弧部対４２ａ、４２ｂに沿ってかみあわせを進められていくと、ハンドルグリップ受容開口部４６はだんだん小さくなる。反対に、環４４が、ネジ切り弧部対４２ａ、４２ｂとの結合状態から引き戻されるにしたがって、ハンドルグリップ受容開口部４６はだんだん大きくなる。これは、ネジ切り弧部対４２ａ、４２ｂのうち少なくとも一方が長手方向に次第に薄くなっていく厚さｔ１〜ｔ２を持っていることにより起こる。このｔ１〜ｔ２へ薄くなっていく長手方向は、ハンドルグリップ受容開口部４６の厚さｔ１から始まりシャフト１８の第二部分１８ｂの厚さｔ２に向かって薄くなっている。
【００１６】
本発明のゴルフクラブ用ハンドル装置１０では、その他のタイプのハンドル構造２０を使用することもできるが、好ましいハンドル構造２０は図２〜４に示されている。図３では、ハンドル軸Ｈ１、Ｈ２はそれぞれ共通面Ｐ内に位置していて、この面Ｐは長手軸Ｌに対しほぼ垂直に広がっている（図２参照）。また、図４に示すように、ハンドル対２６ａ、２６ｂは、シャフト１８に対し等距離だけ離れている。言い換えれば、ハンドル軸Ｈ１と長手軸Ｌとの距離ｄ１とハンドル軸Ｈ２と長手軸Ｌとの距離ｄ２は、等しい。
【００１７】
ハンドル構造２０は、第一取り付け部材４８と第二取り付け部材５０をそなえている（図４参照）。第二取り付け部材５０は第一取り付け部材４８に対し横方向に接続されて、Ｔ字型構造を形成する。第一取り付け部材４８は、シャフト１８の中間部分１８ｃに接続されていて（図２参照）、第二取り付け部材５０は、ハンドル対２６ａ、２６ｂのそれぞれに接続している。ハンドル対２６ａ、２６ｂそれぞれは、第二取り付け部材５０と大体直角に接続されているのが好ましい。
【００１８】
また、ハンドル構造２０は、第三取り付け部材５２と第四取り付け部材５４もそなえている。第四取り付け部材５４は第三取り付け部材５２に対し横方向きに接続されて、Ｔ字型構造を形成する。第三取り付け部材５２は、第一取り付け部材４８と直線ｌにより示される一直線上に位置するようにシャフト１８の中間部分１８ｃに接続されている（図２参照）。第四取り付け部材５４は、ハンドル対２６ａ、２６ｂのそれぞれに接続して、それによってシャフト１８を取り囲んでいるハンドル構造２０を形成する。通常ハンドル対２６ａ、２６ｂそれぞれは、第四取り付け部材５４と大体直角に接続されている。
【００１９】
図２において、ハンドル対２６ａ、２６ｂのうち選択された一方に向かって傾斜している虚下降線ｌｆに沿って前腕支持面２８は伸長している。一例として、前腕支持面２８は、ハンドル２６ａに向かって傾斜している虚下降線ｌｆに沿って伸長している。虚下降線ｌｆは、長手軸Ｌに対して鋭角ａを形成している。限定するものではないが、図２〜４に示すように、前腕支持部材２２は、カフ部５６をそなえている。図３、４に示すように、カフ部５６は、ユーザー、すなわちゴルファーの内前腕６０の大部分を図１、２に最もよく示されているように密着し収容するように調整された凹部５８を形成するように構成されている。また、前腕支持部材２２は、シャフト１８の第一部分１８ａおよびカフ部５６に接続されて、それらの間に位置するスペーサー部６２をそなえている。スペーサー部６２により、ユーザーの内前腕６０は確実にシャフト１８から適当な距離だけ離される。
【００２０】
図４において、前腕支持部材２２は、虚スペーサーラインｌｓに対し角度ｂだけ旋回してずれて位置している。虚スペーサーラインｌｓは、長手軸Ｌを貫通するように伸長し、ハンドル軸Ｈ１、Ｈ２それぞれに対して垂直に貫通するものである。角度ｂは、ゴルファーが本発明のゴルフクラブ用ハンドル装置１０をつかんだときにユーザーの体に向かっておよそ０°〜１０°の範囲であることが望ましい。好ましくは、角度ｂは、５°である。
【００２１】
当業者であれば、前腕支持面２８をハンドル対２６ａ、２６ｂの選択された一方に向かって傾斜させることにより左打ちゴルファーと右打ちのゴルファーのどちらに対しても本発明のゴルフクラブハンドル装置１０を製造することが可能であることがわかるであろう。図１、２に示すように、本発明のゴルフクラブ用ハンドル装置１０は、ボールを打つ方向に対して左腕がリード側になるゴルファーに対して特に適している。
【００２２】
本発明のゴルフクラブ用ハンドル装置２１０の第二実施形態は、図９により説明される。本発明のゴルフクラブ用ハンドル装置２１０は、上述のものに似ている。しかしながら、本発明のゴルフクラブ用ハンドル装置２１０は、カフ部５６に代えてスリーブ６４をそなえている。スリーブ６４は、ユーザーの前腕を収容し取り囲みうるように調整されている。スリーブ６４により大開口部６８及び小開口部７０を持つ前腕収容チャネル６６が規定され、図１０に最もよく示されるように切頭円錐形を構成する。小開口部７０は、大開口部６８付近にある選択されたハンドル２６ａまたは２６ｂの間にある。
【００２３】
さらに、ハンドル構造２０は、異なる形状を持ち、第一取り付け部材４８と第二取り付け部材５０をそなえているが、この第二取り付け部材５０は第一取り付け部材４８に対し横方向に接続されているので、Ｔ字型構造を形成する。第一取り付け部材４８はシャフト１８の中間部分１８ｃに接続され、第二取り付け部材５０はハンドル対２６ａ、２６ｂのそれぞれに接続して、それによってＵ字型構造を形成している。また、本発明の第二実施形態のゴルフクラブ用ハンドル装置２１０においては、複数の指置きくぼみ７２がハンドル対２６ａ、２６ｂのそれぞれに形成されている。
【００２４】
加えて、本発明のゴルフクラブ用ハンドル装置２１０は、ゴルフクラブと一体となる構造をしている。それゆえ、本発明の第三実施形態は、細長ゴルフクラブシャフト２１８、ゴルフクラブヘッド１６およびハンドル構造２０をそなえるゴルフクラブである。
ゴルフクラブシャフト２１８は、長手軸Ｌに沿って伸長し、ヘッド部２１８ａとヘッド部２１８ａとは反対側に位置するハンドル部２１８ｂをそなえている。ゴルフクラブヘッド１６は、ゴルフクラブシャフト２１８のヘッド部２１８ａに接続されている。ハンドル構造２０は、ゴルフクラブシャフト２１８のハンドル部２１８ｂに接続されている。ハンドル部２１８ｂはハンドル上部２１８ｂｕとハンドル下部２１８ｂｌをそなえている。ハンドル下部２１８ｂｌは、ハンドル上部２１８ｂｕとゴルフクラブヘッド１６の間に位置する。
【００２５】
ハンドル構造２０は、ハンドル下部２１８ｂｌに接続されていて、かつ互いに離れて大体平行関係を持つハンドル対２６ａ、２６ｂをそなえており、ゴルフクラブシャフト２１８のハンドル部２１８ｂは、ハンドル対２６ａ、２６ｂの間に位置する。ハンドル対２６ａ、２６ｂは、長手軸Ｌに対して大体垂直に広がる面Ｐ内にある。ハンドル構造２０はさらに、ハンドル上部２１８ｂｕに接続されていてゴルフクラブシャフト２１８のハンドル部２１８ｂから離れてかつ反対を向いた前腕支持面２８を持っている前腕支持部材２２をそなえている。
【００２６】
本願のゴルフクラブ用ハンドル装置３１０の第四実施形態は、図１１〜１４を参照しながら説明される。本願のゴルフクラブ用ハンドル装置３１０の第四実施形態は、第一実施形態と似ている。しかしながら、一番異なる点は、本願のゴルフクラブ用ハンドル装置３１０は、シャフト１８と離脱可能に接続され、シャフト１８から離脱されたときに長手軸Ｌを回転軸として旋回しうる前腕支持部材３２２を形成していることである。スペーサー部３６２は、上述のスペーサー部６２とは異なる形状を持つよう設計されている。この設計上の相違点は、一体型としての前腕支持部材３２２の形成を単に容易にするためだけものである。
【００２７】
図１１において、シャフト１８は、歯状環３７８をそなえている。歯状環３７８は、シャフト１８に対し動かないように取り付けられている。歯状環３７８は、シャフト１８を取り囲んでいて、放射状に伸長する複数の歯３８０をそなえている。前腕支持部材３２２は、カフ部５６とは反対側のスペーサー部３６２に固定的に取り付けられている管状部３８２をそなえている。管状部３８２は、図１２に最もよく示されているように、シャフト１８を滑動可能に収容しうるよう調整された管内部チャネル３８４を規定する。管状部３８２は、歯状環３７８に形成された複数の歯３８０とかみあわさるように調整及された放射状に伸長する複数の歯３８８を持つ管末端部３８６をそなえている。前腕支持部材３２２はさらにネジ切りキャップ３９０をそなえ、シャフト１８はこのネジ切りキャップ３９０とかみあわさるネジ切りシャフト端部３９２をそなえている。
【００２８】
図１１において、ネジ切りキャップ３９０は、シャフト１８に前腕支持部材３２２を固定させるネジ切りシャフト端部３９２とかみ合わせている。図１３では、ネジ切りキャップ３９０は、シャフト１８のネジ切りシャフト端部３９２から解放されているので、ユーザーは、かみあわさる歯を開放して前腕支持部材３２２を長手軸Ｌを回転軸として旋回させて望みの位置にすることができる。図１４に示すように、ここでは右打ちゴルファーも左打ちゴルファーも使用できるよう前腕支持部材３２２がフリップフロップ可能になっている。さらに、前腕支持部材３２２は、虚シャフトラインｌｓに対して、選択された角度で固定されることができる。図１４に挙げる例では、角度ｂは長手軸Ｌを中心として５°または１０°をとることもできるし、また長手軸Ｌに対し５°きざみで３６０°旋回することもできる。
【００２９】
図１、２を参照すると、ゴルファーはスーツケースを握るのと同様に、ゴルフクラブを握ることができるようになっている。さらに、このようなグリップのおかげでゴルファーがスィングする時にリード側になる腕は、その前腕内側で支えられる。その結果、ゴルファー、特に初心者のゴルファーは、従来型のグリップを使用したときに比べて、繰り返しゴルフゴールを打つことが可能である。また、本発明は、フックやスライスさせる可能性を減少させて、ゴルファーがゴルフボールを真直ぐに打つ手助けをすることも目的としている。
【００３０】
上述した本発明の実施形態は、例示に過ぎない。当業者であれば、本発明の趣旨や発明的概念を逸脱しない範疇でこれら実施例の変形例も理解するであろう。例えば、他の種類や他の構成を持つハンドル構造が使用されてもよく、他の種類や他の構成を持つコネクタが使用されてもよく、また、他の種類や他の構成を持つスペーサー部や前腕支持面が使用されてもよい。
【図面の簡単な説明】
【図１】本発明の第一実施形態におけるゴルフクラブ用ハンドル装置をそなえたゴルフクラブを握り、スイングしているゴルファーの正面図である。
【図２】ゴルファーによって握られている本発明のゴルフクラブ用ハンドル装置の拡大立面図である。
【図３】本発明のゴルフクラブ用ハンドル装置とゴルフクラブのハンドグリップの分解斜視図である。
【図４】本発明のゴルフクラブ用ハンドル装置の平面図である。
【図５】本発明のゴルフクラブ用ハンドル装置とゴルフクラブのグリップを接続するコッターを示す部分断面立面図である。
【図６】コッターピンの側面図である。
【図７】従来のボルトとナットの側面図である。
【図８】本発明のゴルフクラブ用ハンドル装置のコネクタの最良の形態を示す立面図である。
【図８Ａ】図８に示すコネクタのネジ切り弧部の拡大断面図である。
【図９】異なるハンドル構造と異なる前腕支持部材構造を持つ本発明の第二実施形態におけるゴルフクラブ用ハンドル装置である。
【図１０】前腕支持部材のスリーブ部を図９の線１０−１０に沿って抜粋して示す背面図である。
【図１１】本発明のシャフトに対して脱離可能に接続される前腕支持部材を持つ第四実施形態におけるゴルフクラブ用ハンドル装置を示す側面図である。
【図１２】図１３の線１２−１２に沿って抜粋した部分断面立面図である。
【図１３】シャフトより解放された図１１に示す前腕支持部材の側面図である。
【図１４】シャフトに対する前腕支持部材の色々な位置の例を示す平面図である。
【図１】
2004504899.tif 000003
【図２】
2004504899.tif 000004
【図３】
2004504899.tif 000005
【図４】
2004504899.tif 000006
【図５】
2004504899.tif 000007
【図６】
2004504899.tif 000008
【図７】
2004504899.tif 000009
【図８】
2004504899.tif 000010
【図８Ａ】
2004504899.tif 000011
【図９】
2004504899.tif 000012
【図１０】
2004504899.tif 000013
【図１１】
2004504899.tif 000014
【図１２】
2004504899.tif 000015
【図１３】
2004504899.tif 000016
【図１４】
2004504899.tif 000017
【国際公開パンフレット】
2004504899.tif 000018
2004504899.tif 000019
2004504899.tif 000020
2004504899.tif 000021
2004504899.tif 000022
2004504899.tif 000023
2004504899.tif 000024
2004504899.tif 000025
2004504899.tif 000026
2004504899.tif 000027
2004504899.tif 000028
2004504899.tif 000029
2004504899.tif 000030
2004504899.tif 000031
2004504899.tif 000032
2004504899.tif 000033
2004504899.tif 000034
2004504899.tif 000035
2004504899.tif 000036
2004504899.tif 000037
【国際公開パンフレット（コレクトバージョン）】
2004504899.tif 000038
2004504899.tif 000039
【国際調査報告】
2004504899.tif 000040
2004504899.tif 000041